【手続補正書】
【提出日】平成17年4月22日(2005.4.22)
【手続補正１】
【補正対象書類名】明細書
【補正対象項目名】発明の名称
【補正方法】変更
【補正の内容】
【発明の名称】印刷処理方法及び印刷制御装置
【手続補正２】
【補正対象書類名】明細書
【補正対象項目名】特許請求の範囲
【補正方法】変更
【補正の内容】
【特許請求の範囲】
【請求項１】
印刷処理依頼装置から伝送される伝送用データを、変換手段によって印刷用データに変換して出力装置へ出力することにより印刷処理を行う印刷処理方法であって、
前記伝送用データと該伝送用データを前記変換手段によって変換した前記印刷用データを記憶手段に記憶して保持し、
新たに伝送された印刷用データから既に印刷処理を要求した経歴があることを示す識別子を検出したときに、
前記記憶手段に記憶している先の前記伝送用データと印刷用データを読み出すと共に、
前記新たな印刷用データと前記先の印刷用データの差分を印刷ページ単位で判定し、
該判定結果に基づいて前記新たに伝送された伝送用データを印刷ページ単位で印刷用データに変換し、前記先の印刷用データと差し替えて印刷処理を行う、
ことを特徴とする印刷処理方法。
【請求項２】
印刷処理依頼装置から伝送される伝送用データを、変換手段によって印刷用データに変換して出力装置へ出力する印刷制御装置であって、
前記伝送用データと該伝送用データを前記変換手段によって変換した印刷用データを順次記憶する記憶手段と、
新たに伝送された伝送用データに既に印刷処理を要求した経歴があることを示す識別子が付与されているときに、該識別子を検出する検出手段と、
前記検出手段が前記識別子を検出したときに前記新たに伝送された伝送用データに基づいて前記記憶手段に記憶している前記伝送用データを検索して、先の伝送用データと共に印刷用データを読み出す検索手段と、
前記新たに伝送された伝送用データと前記先の伝送用データの差分を印刷ページ毎に判定する判定手段と、
前記判定手段の判定結果に基づいて前記新たに伝送された伝送用データを前記変換手段によって印刷用データに変換して、印刷ページ毎に前記先の印刷用データと差し替えて前記出力装置に出力する出力制御手段と、
を含むことを特徴とする印刷制御装置。
【請求項３】
前記検出手段の検出結果から、次の印刷処理依頼時に伝送用データに付与する識別子を作成する作成手段を含み、前記検索手段が該識別子にもとづいて検索可能に、前記記憶手段が識別子と共に伝送用データ及び印刷用データを記憶することを特徴とする請求項２に記載の印刷制御装置。
【請求項４】
新たに伝送された伝送用データに、前記先の伝送用データに対する編集履歴が付与されているときに、前記判定手段が該編集履歴に基づいて判定することを特徴とする請求項２または請求項３に記載の印刷制御装置。
【手続補正３】
【補正対象書類名】明細書
【補正対象項目名】０００１
【補正方法】変更
【補正の内容】
【０００１】
【発明の属する技術分野】
本発明は、ユーザ装置から供給される伝送形式の印刷データを、ラスタイメージデータ等の印刷装置で印刷可能な形成のデータに変換して出力装置へ出力して印刷処理を行う印刷処理方法及び印刷制御装置に関する。
【手続補正４】
【補正対象書類名】明細書
【補正対象項目名】０００９
【補正方法】変更
【補正の内容】
【０００９】
このような問題を解消するためには、ユーザが修正した文書を伝送するときに、以前にプリント処理を行ったことがあるデータであることを明確にする必要があると共に、記憶されている印刷用データとの確実な対比が可能となるようにして伝送する必要があり、このために、ユーザが印刷依頼を行うための処理が煩雑となってしまうと言う問題がある。
【手続補正５】
【補正対象書類名】明細書
【補正対象項目名】００１０
【補正方法】変更
【補正の内容】
【００１０】
本発明は上記事実を考慮して成されたものであり、一部が変更されて印刷処理が依頼されたときに、出力装置によって印刷処理が実行されるまでの時間短縮を図ることができる印刷処理方法及び印刷制御装置を提案することを目的とする。
【手続補正６】
【補正対象書類名】明細書
【補正対象項目名】００１１
【補正方法】変更
【補正の内容】
【００１１】
【課題を解決するための手段】
上記目的を達成するための本発明の印刷処理方法は、印刷処理依頼装置から伝送される伝送用データを、変換手段によって印刷用データに変換して出力装置へ出力することにより印刷処理を行う印刷処理方法であって、前記伝送用データと該伝送用データを前記変換手段によって変換した前記印刷用データを記憶手段に記憶して保持し、新たに伝送された印刷用データから既に印刷処理を要求した経歴があることを示す識別子を検出したときに、前記記憶手段に記憶している先の前記伝送用データと印刷用データを読み出すと共に、前記新たな印刷用データと前記先の印刷用データの差分を印刷ページ単位で判定し、該判定結果に基づいて前記新たに伝送された伝送用データを印刷ページ単位で印刷用データに変換し、前記先の印刷用データと差し替えて印刷処理を行う、ことを特徴とする。
また、本発明の印刷制御装置は、印刷処理依頼装置から伝送される伝送用データを、変換手段によって印刷用データに変換して出力装置へ出力する印刷制御装置であって、前記伝送用データと該伝送用データを前記変換手段によって変換した印刷用データを順次記憶する記憶手段と、新たに伝送された伝送用データに既に印刷処理を要求した経歴があることを示す識別子が付与されているときに、該識別子を検出する検出手段と、前記検出手段が前記識別子を検出したときに前記新たに伝送された伝送用データに基づいて前記記憶手段に記憶している前記伝送用データを検索して、先の伝送用データと共に印刷用データを読み出す検索手段と、前記新たに伝送された伝送用データと前記先の伝送用データの差分を印刷ページ毎に判定する判定手段と、前記判定手段の判定結果に基づいて前記新たに伝送された伝送用データを前記変換手段によって印刷用データに変換して、印刷ページ毎に前記先の印刷用データと差し替えて前記出力装置に出力する出力制御手段と、を含むことを特徴とする。
【手続補正７】
【補正対象書類名】明細書
【補正対象項目名】００１２
【補正方法】変更
【補正の内容】
【００１２】
この発明によれば、伝送用データを受付けて印刷処理を行うときには、この伝送用データを印刷用データに変換して、出力装置へ出力する。また、記憶手段は、この伝送用データと共に、出力装置へ出力するための印刷用データを保存する。このような伝送用データと印刷用データの保存は、近年の大容量の記憶手段を用いることにより容易に行うことができる。
【手続補正８】
【補正対象書類名】明細書
【補正対象項目名】００１５
【補正方法】変更
【補正の内容】
【００１５】
この後、判定手段は、例えば印刷した時の１ページ分ずつ（ページ単位）で伝送用データを比較して、編集が成されているか否かを判断し、編集されて内容が変更されているときには、新たに伝送された伝送用データの該当ページを印刷用データに変換し、記憶手段から読み出した印刷用データの該当ページと差し替える。
【手続補正９】
【補正対象書類名】明細書
【補正対象項目名】００３９
【補正方法】変更
【補正の内容】
【００３９】
ジョブＩＤ付加部４２は、ジョブＩＤが付与されているドキュメントＤのジョブ依頼を行うときに、このドキュメントＤから作成したＰＤＬに、ジョブＩＤ保存部３８に保存記憶しているジョブＩＤを付与する。これにより、ユーザ端末１４は、編集したドキュメントＤのジョブ依頼をするときに、ドキュメントＤの伝送用データであるＰＤＬに編集情報と共にジョブＩＤを付与してプリントサーバ１２へ伝送する。
【手続補正１０】
【補正対象書類名】明細書
【補正対象項目名】０１０９
【補正方法】変更
【補正の内容】
【０１０９】
また、以上説明した本実施の形態では、本発明の一適用例を示すものであり、本発明の構成を限定するものではない。本発明は、ネットワーク等を介して伝送するための伝送用データを、プリンタ等の出力装置での処理に用いる印刷用データに変換する任意の構成の印刷制御装置に適用することができる。
【手続補正１１】
【補正対象書類名】明細書
【補正対象項目名】０１１０
【補正方法】変更
【補正の内容】
【０１１０】
【発明の効果】
以上説明したように本発明によれば、新規の印刷処理依頼を受付けるときに印刷処理依頼に対する識別子を作成し、この識別子にもとづいて伝送用データ及び印刷用データを記憶するようにしているための、記憶している印刷用データを、次の印刷処理依頼時に的確に用いることができるという優れた効果が得られる。